(57)【要約】【課題】プロジェクトに関する様々な事象を、ユーザが指摘したトピックの観点から因果関係を把握できるようにして、プロジェクトの問題点を究明することのできるプロジェクト管理を行えるようにする。【解決手段】プロジェクトに関する情報と、各プロジェクトで発生し、発生した日付を有するイベントに関する情報と、各イベントでのトピックに関する情報と、トピックを要素として含むカテゴリに関する情報とを保持し、横軸にカテゴリが配されており、縦軸にイベントが時系列に配されており、横軸に表示されたカテゴリに含まれるトピックであり、かつ、縦軸に表示されたイベントのトピックである場合に、その交点に当たる箇所に、トピックのトピック名とトピックの内容が表示されたＶＴＡビューを表示する。【選択図】  図１２Ａ
2020197827.tif 000002
【特許請求の範囲】
【請求項１】
プロジェクトに関する情報と、
各プロジェクトで発生し、発生した日付を有するイベントに関する情報と、
各イベントでのトピックに関する情報と、
前記トピックを要素として含むカテゴリに関する情報とを保持し、
第一の表示軸に前記カテゴリが配されており、第二の表示軸に前記イベントが時系列に配されており、前記第一の表示軸に表示されたカテゴリに含まれるトピックであり、かつ、前記第二の表示軸に表示されたイベントのトピックである場合に、その交点に当たる箇所に、前記トピックのトピック名とトピックの内容が表示されたＶＴＡ（Variation Tree Analysis）ビューを表示することを特徴とするプロジェクト管理装置。
【請求項２】
一定の期間を指定する手段を有し、
指定された期間で発生したイベントでのトピックのトピック名とトピックの内容を表示するイベントビューを表示することを特徴とする請求項１記載のプロジェクト管理装置。
【請求項３】
あるカテゴリに含まれるトピックを選択するカテゴリ選択画面を表示することを特徴とする請求項１記載のプロジェクト管理装置。
【請求項４】
前記ＶＴＡビューの表示パターンを保存して、その表示パターンが選択されたときに、その表示パターンに従ったＶＴＡビューを表示することを特徴とする請求項１記載のプロジェクト管理装置。
【請求項５】
プロジェクト管理装置が、プロジェクトに関する情報と、各プロジェクトで発生し、発生した日付を有するイベントに関する情報と、各イベントでのトピックに関する情報と、前記トピックを要素として含むカテゴリに関する情報とを保持するステップと、
プロジェクト管理装置が、第一の表示軸に前記カテゴリが配されており、第二の表示軸に前記イベントが時系列に配されており、前記第一の表示軸に表示されたカテゴリに含まれるトピックであり、かつ、前記第二の表示軸に表示されたイベントのトピックである場合に、その交点に当たる箇所に、前記トピックのトピック名とトピックの内容が表示されたＶＴＡ（Variation Tree Analysis）ビューを表示するステップとを有することを特徴とするプロジェクト管理方法。
【請求項６】
さらに、プロジェクト管理装置が、一定の期間を入力されるステップと、
プロジェクト管理装置が、指定された期間で発生したイベントでのトピックのトピック名とトピックの内容を表示するイベントビューを表示するステップとを有することを特徴とする請求項５記載のプロジェクト管理方法。
【請求項７】
さらに、プロジェクト管理装置が、あるカテゴリに含まれるトピックを選択するカテゴリ選択画面を表示するステップを有することを特徴とする請求項５記載のプロジェクト管理方法。
【請求項８】
さらに、前記ＶＴＡビューの表示パターンを保存するステップと、その表示パターンが選択されたときに、その表示パターンに従ったＶＴＡビューを表示するステップとを有することを特徴とする請求項５記載のプロジェクト管理方法。
【発明の詳細な説明】
【技術分野】
【０００１】
本発明は、プロジェクト管理装置およびプロジェクト管理方法に係り、特に、プロジェクトに関する様々な事象の因果関係を把握できるようにして、プロジェクトの問題点を究明するのに好適なプロジェクト管理装置およびプロジェクト管理方法に関する。
【背景技術】
【０００２】
大規模システム開発を成功させるためには、プロジェクトを適切に管理することが求められ、プロジェクト管理が重要になってくる。ここで、プロジェクト管理とは、プロジェクトを成功裏に完了させることを目指して行われる活動のことであり、プロジェクトを構成する各活動の計画立案、日程表の作成、および進捗管理が含まれる。
【０００３】
近年では、このプロジェクト管理を情報処理システムによって行わせるプロジェクト管理システムが一般的になっている。例えば、特許文献１には、プロジェクト管理装置用の時系列データを様々なタイムスケールで表示するシステムが開示されている。
【０００４】
一方、事故分析に用いる手法として、ＶＴＡ（Variation Tree Analysis）が知られている。ＶＴＡは、人やモノ、組織などの主体ごとに時系列に沿って事故につながる通常から逸脱した行為や操作、判断をフローチャート式に追っていき事故原因を洗い出す手法である。
【先行技術文献】
【特許文献】
【０００５】
【特許文献１】特開２０１２−１７３８４６号公報
【発明の概要】
【発明が解決しようとする課題】
【０００６】
従来のＶＴＡの手法を、プロジェクト管理に応用し、プロジェクトの様々な問題点を究明し、情報処理装置により時系列に沿った事象を示したＶＴＡの図表を表示して、プロジェクトの問題点の対策をとるのは、自然な発想であるといえる。
【０００７】
しかしながら、従来のＶＴＡの手法では、人やモノ、組織などの主体は、固定されており、様々な要因が絡みあう大規模システムにおけるプロジェクト管理に適したものではなかった。
【０００８】
プロジェクト管理を行うユーザにとっては、発生する様々なトピックについての因果関係を究明したいという要請がある。
【０００９】
本発明の目的は、プロジェクトに関する様々な事象を、ユーザが指摘したトピックの観点から因果関係を把握できるようにして、プロジェクトの問題点を究明することのできるプロジェクト管理装置およびプロジェクト管理方法を提供することにある。
【課題を解決するための手段】
【００１０】
本発明のプロジェクト管理装置の構成は、好ましくは、プロジェクトに関する情報と、各プロジェクトで発生し、発生した日付を有するイベントに関する情報と、各イベントでのトピックに関する情報と、トピックを要素として含むカテゴリに関する情報とを保持し、第一の表示軸にカテゴリが配されており、第二の表示軸にイベントが時系列に配されており、第一の表示軸に表示されたカテゴリに含まれるトピックであり、かつ、第二の表示軸に表示されたイベントのトピックである場合に、その交点に当たる箇所に、トピックのトピック名とトピックの内容が表示されたＶＴＡビューを表示するようにしたものである。
【発明の効果】
【００１１】
本発明によれば、プロジェクトに関する様々な事象を、ユーザが指摘したトピックの観点から因果関係を把握できるようにして、プロジェクトの問題点を究明することのできるプロジェクト管理装置およびプロジェクト管理方法を提供することができる。
【図面の簡単な説明】
【００１２】
【図１】プロジェクト管理システムのデータフローと概要構成を示す図である。
【図２】プロジェクト管理装置の機能ブロック図である。
【図３】プロジェクト管理装置のハードウェア・ソフトウェア構成図である。
【図４】プロジェクト管理テーブルの一例を説明する図である。
【図５Ａ】イベント情報テーブルの一例を説明する図である（その一）。
【図５Ｂ】イベント情報テーブルの一例を説明する図である（その二）。
【図６】ＶＴＡビュー構成テーブルの一例を説明する図である。
【図７】カテゴリ構成テーブルの一例を説明する図である。
【図８Ａ】プロジェクト指定画面の一例を示す図である（その一）。
【図８Ｂ】プロジェクト指定画面の一例を示す図である（その二）。
【図９】イベント入力画面の一例を示す図である。
【図１０】カテゴリ編集画面の一例を示す図である。
【図１１】イベントビューの一例を示す図である。
【図１２Ａ】ＶＴＡビューの一例を示す図である（その一）。
【図１２Ｂ】ＶＴＡビューの一例を示す図である（その二）。
【発明を実施するための形態】
【００１３】
以下、本発明の一実施形態を、図１ないし図１２Ｂを用いて説明する。
【００１４】
先ず、図１ないし図３を用いてプロジェクト管理システムの構成について説明する。
最初に、プロジェクト管理システムのデータフローと概要構成を説明する。
プロジェクト管理システムの処理を行うのは、図１に示されように、プロジェクト管理装置１００である。
【００１５】
プロジェクト管理システムのユーザは、各プロジェクトのサイトからプロジェクト情報を入力する（Ｓ０１ａ、Ｓ０１ｂ、Ｓ０１ｃ）。プロジェクトのサイトとは、プロジェクトを取り扱う部署による分類であり、一つのプロジェクトであっても、例えば、管理部門サイト、調達部門サイト、プロジェクト推進部門サイトのように複数のサイトで取り扱われる。このようにサイトを設ける意義は、一つのプロジェクトに関する部署であっても、部署ごとにそのプロジェクトでのイベントや、関心のあるトピックは、異なることがあるためである（イベント、トピックの詳細は、後述）。
【００１６】
プロジェクト管理装置１００は、各サイトからの入力を受け付けて、プロジェクト情報として、プロジェクト情報ＤＢ１１０（図１では、１１０ａ、１１０ｂ、１１０ｃ）に登録する（Ｓ０２）。なお、プロジェクト情報ＤＢ１１０のデータ構造の具体例は、後に詳説する。
【００１７】
そして、プロジェクト管理システムのユーザは、イベントビューの出力指示を行う（Ｓ１０）。そして、これを受けて、プロジェクト管理装置１００は、イベントビュー出力処理を行い（Ｓ１１）、イベントビューを表示する（Ｓ１２）。ここで、イベントビューとは、プロジェクトで発生したイベントを指定された期間内で、時系列的に表示する画面である。
【００１８】
また、プロジェクト管理システムのユーザは、ＶＴＡビューの出力指示を行う（Ｓ２０）。そして、これを受けて、プロジェクト管理装置１００は、ＶＴＡビュー出力処理を行い（Ｓ２１）、ＶＴＡビューを表示する（Ｓ２２）。ここで、ＶＴＡビューとは、イベントの内容を記述するトピックの集合をカテゴリとして定義し、カテゴリ毎に、各々のトピックにおいて記述された内容を指定された期間内で、イベントの発生する日時に関して、時系列的に表示する画面である。なお、イベントビューとＶＴＡビューの詳細は、後述する。
【００１９】
次に、図２を用いてプロジェクト管理装置の機能構成について説明する。
プロジェクト管理装置１００は、図２に示されるように、プロジェクト指定部１２１、イベント入力部１２２、イベントビュー表示部１２３、カテゴリ編集部１２４、ＶＴＡ表示部１２５、記憶部１２６からなる。
【００２０】
プロジェクト指定部１２１は、表示の対象となるプロジェクトを指定する機能部である。イベント入力部１２２は、イベントの情報を入力する機能部である。イベントビュー表示部１２３は、イベントビューを表示する機能部である。カテゴリ編集部１２４は、イベントの集合としてのカテゴリを編集する機能部である。ＶＴＡ表示部１２５は、ＶＴＡビューを表示する機能部である。記憶部１２６は、プロジェクト管理装置１００で使用するデータを記憶する機能部であり、プロジェクト管理テーブル３００、イベント情報テーブル３１０、ＶＴＡビュー構成テーブル３２０、カテゴリ構成テーブル３３０を記憶する。
【００２１】
次に、図３を用いてプロジェクト管理装置のハードウェア・ソフトウェア構成について説明する。
プロジェクト管理装置１００のハードウェア構成としては、例えば、図３に示されるパーソナルコンピュータのような一般的な情報処理装置で実現される。
【００２２】
プロジェクト管理装置１００は、ＣＰＵ（Central Processing Unit）２０２、主記憶装置２０４、ネットワークＩ／Ｆ２０６、表示Ｉ／Ｆ２０８、入出力Ｉ／Ｆ２１０、補助記憶Ｉ／Ｆ２１２が、バスにより結合された形態になっている。
【００２３】
ＣＰＵ２０２は、プロジェクト管理装置１００の各部を制御し、主記憶装置２０４に必要なプログラムをロードして実行する。
【００２４】
主記憶装置２０４は、通常、ＲＡＭなどの揮発メモリで構成され、ＣＰＵ２０２が実行するプログラム、参照するデータが記憶される。
【００２５】
ネットワークＩ／Ｆ２０６は、図示しなかったが他の外部装置とネットワークにより接続するためのインタフェースである。
【００２６】
表示Ｉ／Ｆ２０８は、ＬＣＤ（Liquid Crystal Display）などの表示装置２２０を接続するためのインタフェースである。
【００２７】
入出力Ｉ／Ｆ２１０は、入出力装置を接続するためのインタフェースである。図３の例では、キーボード２３０とポインティングデバイスのマウス２３２が接続されている。
【００２８】
補助記憶Ｉ／Ｆ２１２は、ＨＤＤ（Hard Disk Drive）２５０やＳＳＤ（Solid State Drive）などの補助記憶装置を接続するためのインタフェースである。
【００２９】
ＨＤＤ２５０は、大容量の記憶容量を有しており、本実施形態を実行するためのプログラムが格納されている。プロジェクト管理装置１００には、プロジェクト指定プログラム２６１、イベント入力プログラム２６２、イベントビュー表示プログラム２６３、カテゴリ編集プログラム２６４、ＶＴＡ表示プログラム２６５がインストールされている。
【００３０】
プロジェクト指定プログラム２６１、イベント入力プログラム２６２、イベントビュー表示プログラム２６３、カテゴリ編集プログラム２６４、ＶＴＡ表示プログラム２６５は、それぞれプロジェクト指定部１２１、イベント入力部１２２、イベントビュー表示部１２３、カテゴリ編集部１２４、ＶＴＡ表示部１２５の機能を実行するプログラムである。
【００３１】
また、ＨＤＤ２５０は、プロジェクト情報ＤＢとして、プロジェクト管理テーブル３００、イベント情報テーブル３１０、ＶＴＡビュー構成テーブル３２０、カテゴリ構成テーブル３３０を保持する。なお、各テーブルの詳細は、以下で説明する。
【００３２】
次に、図４ないし図７を用いてプロジェクト管理システムで用いられるデータ構造について説明する。
プロジェクト管理テーブル３００は、各プロジェクトの情報を管理するテーブルであり、図４に示されるように、プロジェクトＩＤ３００ａ、プロジェクト名３００ｂ、プロジェクト情報保存パス３００ｃの各フィールドを有する。
【００３３】
プロジェクトＩＤ３００ａには、プロジェクトを示す一意的な識別子が格納される。プロジェクト名３００ｂには、プロジェクトの名称が格納される。プロジェクト情報保存パス３００ｃには、プロジェクト情報を保存するファイルのファイルパスが格納される。
【００３４】
イベント情報テーブル３１０は、プロジェクトで発生する各イベントの情報を格納するテーブルであり、図５Ａ、図５Ｂに示されるように、イベントＩＤ３１０ａ、イベント名３１０ｂ、プロジェクトＩＤ３１０ｃ、イベント日付３１０ｄ、サマリ３１０ｅ、イベント情報保存パス３１０ｆ、トピック名３１０ｇ（図５Ｂでは、３１０ｇ−１、３１０ｇ−２、３１０ｇ−３）、トピック種別３１０ｈ（５Ｂでは、３１０ｈ−１、３１０ｈ−２、３１０ｈ−３）、トピック内容３１０ｉ（５Ｂでは、３１０ｉ−１、３１０ｉ−２、３１０ｉ−３）の各フィールドを有する。
【００３５】
イベントＩＤ３１０ａには、イベントを示す一意的な識別子が格納される。イベント名３１０ｂには、プロジェクトの名称が格納される。プロジェクトＩＤ３１０ｃには、このイベントが属するプロジェクトのプロジェクトＩＤが格納される。イベント日付３１０ｄには、そのイベントが発生した日付が格納される。サマリ３１０ｅには、このイベントの要約の内容の記述が格納される。イベント情報保存パス３１０ｆには、イベント情報を保存するファイルのファイルパスが格納される。トピック名３１０ｇには、トピックの名称が格納される。トピック種別３１０ｈには、トピックを区別するための種別、例えば、プロジェクトの状況を記述する「状況」、プロジェクトの問題点を指摘する「指摘」などが格納される。トピック内容３１０ｉには、具体的なトピックの内容の記述が格納される。
【００３６】
なお、イベントには、複数のトピックを記述することができる。例えば、イベントＩＤが「Ｅ００１」のイベントは、三つのトピックを含んでいる。
【００３７】
ＶＴＡビュー構成テーブル３２０は、ＶＴＡビューの表示内容を定義するテーブルであり、図６に示されるように、プロジェクトＩＤ３２０ａ、表示パターン３２０ｂ、カテゴリ構成３２０ｃの各フィールドを有する。プロジェクトＩＤ３２０ａには、ＶＴＡビューをプロジェクトのプロジェクトＩＤが格納される。表示パターン３２０ｂには、ＶＴＡビューの表示を識別するＩＤが格納される。カテゴリ軸３２０ｃには、ＶＴＡビューの一方の軸として定義されるカテゴリのカテゴリＩＤが格納される。
【００３８】
カテゴリ構成テーブル３３０には、カテゴリがどのようなトピックを含むかを示すカテゴリの構成を示すテーブルであり、図７に示されるように、カテゴリＩＤ３３０ａ、プロジェクトＩＤ３３０ｂ、イベントＩＤ３３０ｃの各フィールドを有する。カテゴリＩＤ３３０ａには、カテゴリを示す一意的な識別子が格納される。プロジェクトＩＤ３３０ｂ、イベントＩＤ３３０ｃには、それぞれカテゴリを定義しているプロジェクトとイベントを示すＩＤが格納される。トピック要素３３０ｄには、このカテゴリが要素として含むトピックのトピック名が格納される。
【００３９】
次に、図８Ａないし図１２Ｂを用いてプロジェクト管理システムのユーザインタフェースについて説明する。
【００４０】
プロジェクト指定画面５００は、情報を入力したり表示したりするプロジェクトを指定する画面であり、図８Ａ、図８Ｂに示されるように、表示要素として、メインバー４００、プロジェクト選択メニュー５１０、プロジェクト入力欄５２０、新規プロジェクト作成ボタン５３０からなる。
【００４１】
メインバー４００は、他の画面でも共通の表示要素であり、他の画面に遷移したり、画面を閉じるときに使用される。プロジェクト選択メニュー５１０は、作成したプロジェクトを選択するメニューである。図８Ｂに示すプロジェクト入力欄５２０は、新規のプロジェクトのプロジェクト名を入力する欄である。新規プロジェクト作成ボタン５３０は、新規プロジェクトを作成するときに、マウスなどのポインティングデバイスより押されるボタンである。
【００４２】
イベント入力画面６００は、イベントの情報を入力する画面であり、図９に示されるように、プロジェクト選択領域６０１、イベント編集領域６１０、トピック編集領域６２０（図９では、６２０ａ、６２０ｂ、６２０ｃ）、プロジェクト更新ボタン６３０、プロジェクト削除ボタン６３１の表示要素からなる。
【００４３】
プロジェクト選択メニュー６０１は、対象となるプロジェクトを選択するメニューである。イベント編集領域６１０は、イベント情報を編集するための領域であり、日付入力欄６１１、イベント名入力欄６１２、サマリ欄６１３の表示要素からなる。日付入力欄６１１は、イベントの発生した日付を入力する欄である。イベント名入力欄６１２は、イベントの名称を入力する欄である。サマリ欄６１３は、イベントを要約した内容を記載する欄である。トピック編集領域６２０は、トピックの情報を編集する領域である。トピックとは、プロジェクトで発生するイベントに対して、プロジェクト管理の上で採り上げたいと管理者が思う話題であり、一つのイベントに対して複数のトピックを定義することができる。トピック編集領域６２０は、トピックヘッダ６２１、トピック名入力欄６２２、トピック種別入力欄６２３、トピック内容欄６２４からなる。トピックヘッダ６２１は、トピック名とトピック種別を表示する欄である。図９で、「仕様調整［状況］」の内で、「仕様調整」の部分がトピック名であり、「［状況］」の部分がトピック種別を表している。トピック名入力欄６２２は、トピック名を入力する欄である。トピック種別入力欄６２３は、トピック種別を入力する欄である。トピック内容欄６２４は、トピックの内容をユーザが自由に記述する欄である。図９の例では、トピック名が「仕様調整」のトピックについて、そのトピックの内容として、「顧客との仕様打合せ実施。特に難しい要件はなく順調。」と記載されている。プロジェクト更新ボタン６３０は、プロジェクトの情報を更新するときに押されるボタンである。プロジェクト削除ボタンは、プロジェクトの情報を削除するときに押されるボタンである。
【００４４】
次に、カテゴリ編集画面７００は、カテゴリの編集をする画面であり、図１０に示されるように、カテゴリ名入力欄７０１、トピック選択チェックボックス領域７１０、反映ボタン７２０、削除ボタン７２１の表示要素からなる。カテゴリ名入力欄７０１は、定義するカテゴリの名称を入力する欄である。トピック選択チェックボックス領域７１０は、そのカテゴリに要素として属するトピックを選択する欄である。反映ボタン７２０は、入力した情報をカテゴリ構成テーブル３３０に反映するときに押されるボタンである。削除ボタン７２１は、定義したカテゴリを削除するときに押されるボタンである。
【００４５】
このカテゴリ編集画面７００により、ユーザは、そのカテゴリの要素として属するトピックを選択することができる。
【００４６】
図１０に示される例では、「顧客」というカテゴリ名のカテゴリの要素として、「仕様調整」、「機材選択」が指定されている。
【００４７】
イベントビュー８００は、プロジェクトのイベントを発生した日時の時系列として表示するための画面であり、図１１に示されるように、イベント期間情報領域８１０、プロジェクト選択メニュー８２０、イベント情報表示領域８３０の表示要素からなる。
【００４８】
イベント期間情報領域８１０は、イベントの対象となる期間を入力して、表示する領域であり、イベント開始日入力領域８１１、期間入力領域８１２、指定期間表示領域８１３からなる。イベント開始日入力領域８１１は、イベントの対象となる期間の開始日を入力する領域である。期間入力領域８１２は、イベントの対象となる期間のイベント開始日からの日数を入力する領域である。指定期間表示領域８１３は、イベント開始日入力領域８１１、期間入力領域８１２で入力された期間の情報を編集して、開始日〜終了日の形式で表示する領域である。図１１の例では、イベント開始日入力領域８１１に、「２０１９−４−１」、期間入力領域８１２に、「３０」が入力され、指定期間表示領域８１３には、「２０１９−４−１〜２０１９−４−３０のイベント」の文字列が表示されている。
【００４９】
プロジェクト選択メニュー８２０は、表示の対象となるプロジェクトを選択するメニューである。
【００５０】
イベント情報表示領域８３０は、プロジェクトで発生するイベントの情報を表示する領域であり、プロジェクトヘッダ８３１と一つ以上のイベント情報表示ユニット８３２（図１１では、８３２ａ、８３２ｂ、８３２ｃ）からなる。プロジェクトヘッダ８３１は、プロジェクトの名称を表示する表示要素である。イベント情報表示ユニット８３２は、個々のイベントの情報を表示する表示要素であり、イベント情報表示ユニットヘッダ８３３とイベント情報表示ユニット本体８３４からなる。
【００５１】
イベント情報表示ユニットヘッダ８３３には、イベント日付８３５、イベント名８３６が表示される。図１１の例では、イベント日付８３５として、「２０１９−４−１」、イベント名８３６として、「顧客打合せ」が表示されている。イベント情報表示ユニット本体８３４には、サマリ８３７、トピック名８３８、トピック種別８３９、トピック内容８４０が表示される。図１１の例では、サマリ８３７として、「顧客との仕様打合せ、順調」、トピック名８３８として、「仕様調整」、「工程」、「機材契約」、トピック種別８３９として、各々のトピックに対応して、「状況」、「状況」、「状況」、トピック内容８４０として、各々のトピックに対応して、「顧客との仕様打合せ実施、特に難しい要件はなく順調」、「顧客より要望提示。デモプログラム作成  ６／Ｅ  審査会  ７／Ｅ」、「機材契約は別途。システムプログラムの仕様調整の後、スペック選択実施、顧客より設置場所、要件等々頂く  次回４／１５」が記載されている。
【００５２】
本実施形態のイベントビューによれば、指定された期間のイベントを時系列で表示し、そのトピックの内容も確認することができる。
【００５３】
ＶＴＡビュー９００は、ＶＴＡを行うために、横軸にカテゴリ、縦軸にイベントを配し、この交点にそのイベントの属するトピックを表示した画面であり、図１２Ａ、図１２Ｂに示されるように、プロジェクト・パターン指定領域９１０、プロジェクト・パターン表示ヘッダ９２０、ＶＴＡ領域９３０、パターン保存ボタン９４０、パターン削除ボタン９４１、パターン名変更ボタン９４２、カテゴリ追加ボタン９５０の表示要素からなる。
【００５４】
プロジェクト・パターン指定領域９１０は、プロジェクトと、ＶＴＡ領域９３０の構成パターンを指定する領域である。プロジェクト・パターン表示ヘッダ９２０は、プロジェクト・パターン指定領域９１０で指定されたプロジェクト名とパターン名を表示する領域である。図１２Ａ、図１２Ｂでは、プロジェクト名が「Ａシステムの開発」、パターン名が「基本設計フェーズ分析」の例が表示されている。ＶＴＡ領域９３０は、ＶＴＡ解析のためにイベントのトピック情報を表示する領域である。パターン保存ボタン９４０は、ＶＴＡ領域９３０の構成を変更した場合に、その情報を保存するボタンである。パターン削除ボタン９４１は、作成したパターンを削除するボタンである。パターン名変更ボタン９４２は、作成したパターンのパターン名を変更するボタンである。カテゴリ追加ボタン９５０は、ＶＴＡ領域９３０のカテゴリ軸におけるカテゴリを追加するボタンである。プロジェクト・パターン指定領域９１０は、プロジェクト選択メニュー９１１とパターン選択メニュー９１２からなる。プロジェクト選択メニュー９１１は、情報を表示するプロジェクトを選択するメニューである。パターン選択メニュー９１２は、ＶＴＡ領域９３０の表示パターンを選択するメニューである。
【００５５】
ＶＴＡ領域９３０には、横軸にカテゴリ軸領域９３１、縦軸にイベント軸領域９３２、そしてその交差する領域に、トピック情報表示領域９３３が配される。カテゴリ軸領域９３１は、カテゴリ名９３１１と、その要素であるトピックのトピック名９３１２が表示される。イベント軸領域９３２には、選択されたプロジェクトのイベントにおけるイベント日付９３２１、イベント名９３２２、サマリ９３２３が時系列で表示される。トピック情報表示領域９３３には、縦軸のイベント軸領域９３２のイベントで定義されているトピックで、横軸のカテゴリ軸領域９３１のカテゴリの要素として含まれる交差する箇所にそのトピックの情報が、トピック名９３３１、トピック種別９３３２、トピック内容表示９３３３として表示される。
【００５６】
図１２Ａ、図１２Ｂに示す例では、例えば、イベント名が「顧客打合せ」のイベントで、カテゴリ名「顧客」のカテゴリの要素であるトピック名「仕様」のトピックに関して、トピック名９３３１が「仕様」、トピック種別９３３２が「状況」、トピック内容表示９３３３が「顧客との仕様打合せ実施、特に難しい要件はなく順調」が表示されている。
【００５７】
以上、本実施形態によるＶＴＡビューによれば、プロジェクトで発生するイベントのトピックをカテゴリ分けして、そのカテゴリを一方の軸に配したＶＴＡの図式を表示することができる。また、そのようなカテゴリの配置のパターンを指定することもできる。したがって、プロジェクトを管理するユーザは、自分の注目する観点（実施形態の例では、「顧客」のカテゴリのトピック、「社内」のカテゴリのトピック、「外注」のカテゴリのトピック）にそったＶＴＡの解析を行うことができ、プロジェクトの問題点の早期発見に資することができる。
【符号の説明】
【００５８】
１００…プロジェクト管理装置、１２１…プロジェクト指定部、１２２…イベント入力部、１２３…イベントビュー表示部、１２４…カテゴリ編集部、１２５…ＶＴＡ表示部、
３００…プロジェクト管理テーブル、３１０…イベント情報テーブル、３２０……ＶＴＡビュー構成テーブル、３３０…カテゴリ構成テーブル、
５００…プロジェクト指定画面、６００…イベント入力画面、７００…カテゴリ編集画面、８００…イベントビュー、９００…ＶＴＡビュー
【図１】
2020197827.tif 000003
【図２】
2020197827.tif 000004
【図３】
2020197827.tif 000005
【図４】
2020197827.tif 000006
【図５Ａ】
2020197827.tif 000007
【図５Ｂ】
2020197827.tif 000008
【図６】
2020197827.tif 000009
【図７】
2020197827.tif 000010
【図８Ａ】
2020197827.tif 000011
【図８Ｂ】
2020197827.tif 000012
【図９】
2020197827.tif 000013
【図１０】
2020197827.tif 000014
【図１１】
2020197827.tif 000015
【図１２Ａ】
2020197827.tif 000016
【図１２Ｂ】
2020197827.tif 000017